(57)【要約】【課題】真空ポンプ装置をアイドルモードから迅速にウォーミングアップして、加工システムをアイドルモードから通常作動モードに移行させるのに要する時間を短縮する真空ポンプ装置のウォーミングアップ方法および装置を提供することにある。【解決手段】ブースタポンプと、プロセスチャンバを真空引きするための、ブースタポンプの下流側のバッキングポンプとを有する真空ポンプ装置をウォーミングアップする方法において、ブースタポンプがアイドルモードにあるときのブースタポンプのアイドル速度より速い第１速度にブースタポンプを設定する工程と、真空ポンプ装置がアイドルモードから付勢されるときから、ブースタポンプが第１所定閾値に等しいかまたはこれを超える温度に到達するときまでの少なくとも一定時間、ブースタポンプの出口でのバッキング圧力を０．１ミリバールから１０ミリバールの範囲内に制御する工程とを有することを特徴とする方法。この方法を実施する装置も提供する。【選択図】図１
2015516044.tif 000002
【特許請求の範囲】
【請求項１】
ブースタポンプと、プロセスチャンバを真空引きするための、ブースタポンプの下流側のバッキングポンプとを有する真空ポンプ装置をウォーミングアップする方法において、
ブースタポンプがアイドルモードにあるときのブースタポンプのアイドル速度より速い第１速度にブースタポンプを設定する工程と、
真空ポンプ装置がアイドルモードから付勢されるときから、ブースタポンプが第１所定閾値に等しいかまたはこれを超える温度に到達するときまでの少なくとも一定時間、ブースタポンプの出口でのバッキング圧力を０．１ミリバールから１０ミリバールの範囲内に制御する工程とを有することを特徴とする方法。
【請求項２】
前記バッキング圧力を制御する工程は、入口がブースタポンプの出口に連結されたバッテリポンプの速度を調節することからなることを特徴とする請求項１記載の方法。
【請求項３】
前記バッキングポンプは、真空ポンプ装置がアイドルモードから付勢されたときに、第２速度に設定されることを特徴とする請求項２記載の方法。
【請求項４】
前記バッキングポンプの第２速度は、ブースタポンプのバッキング圧力が０．１ミリバールから１０ミリバールの範囲内に入るようにするため、所定レベルに低下されることを特徴とする請求項３記載の方法。
【請求項５】
前記第２速度は、多数の時間間隔に亘って増分的に所定レベルまで低下されることを特徴とする請求項４記載の方法。
【請求項６】
前記バッキング圧力を制御する工程は、ブースタポンプの出口でパージガスを注入することからなることを特徴とする請求項１記載の方法。
【請求項７】
前記パージガスの流量は、ブースタポンプのバッキング圧力が０．１ミリバールから１０ミリバールの範囲内に調節されるように制御されることを特徴とする請求項６記載の方法。
【請求項８】
前記真空ポンプ装置は、ブースタポンプの温度が第１所定閾値に等しいかまたはこれを超え、かつバッキングポンプの温度が第２所定閾値に等しいかまたはこれを超えるときに、通常作動モードにあるプロセスチャンバを真空引きする準備をするように設定され、この場合、第１所定閾値は同じでもよいし、同じでなくてもよいことを特徴とする請求項１記載の方法。
【請求項９】
プロセスチャンバと、
該プロセスチャンバの出口に流体的に連結された入口を備えたブースタポンプと、
該ブースタポンプの出口に流体的に連結された入口を備えたバッキングポンプであって、ブースタポンプと協働してプロセスチャンバの真空引きを行うバッキングポンプと、
ブースタポンプおよびバッキングポンプに電気的に接続されたコントローラとを有し、該コントローラは、ブースタポンプおよびバッキングポンプがアイドルモードから付勢されるときから、ブースタポンプが第１所定閾値に等しいかまたはこれを超える温度に到達するときまでの少なくとも一定時間、ブースタポンプの出口でのバッキング圧力を０．１ミリバールから１０ミリバールの範囲内に制御するように構成されていることを特徴とする装置。
【請求項１０】
前記コントローラは、バッキングポンプの速度を調節することによりブースタポンプのバッキング圧力を制御することを特徴とする請求項９記載の装置。
【請求項１１】
前記コントローラは、真空ポンプ装置がアイドルモードから付勢されたとき、バッキングポンプを所定速度に設定することを特徴とする請求項１０記載の装置。
【請求項１２】
前記コントローラは、バッキングポンプの所定速度を所定レベルに低下させ、ブースタポンプのバッキング圧力を０．１ミリバールから１０ミリバールの範囲内に下降させることを特徴とする請求項１１記載の装置。
【請求項１３】
前記コントローラは、前記所定速度を、多数の時間間隔に亘って増分的に所定レベルまで低下させることを特徴とする請求項１２記載の装置。
【請求項１４】
前記ブースタポンプの出口に流体的に連結されたパージガス源を更に有することを特徴とする請求項９記載の装置。
【請求項１５】
前記コントローラは、ブースタポンプの出口で注入されるパージガスの流量を制御して、ブースタポンプのバッキング圧力を０．１ミリバールから１０ミリバールの範囲内に制御することを特徴とする請求項１４記載の装置。
【請求項１６】
前記ブースタポンプおよびバッキングポンプは、ブースタポンプの温度が第１所定閾値に等しいかまたはこれを超え、かつバッキングポンプの温度が第２所定閾値に等しいかまたはこれを超えるときに、通常作動モードにあるプロセスチャンバを真空引きする準備をするように設定され、この場合、第１所定閾値は同じでもよいし、同じでなくてもよいことを特徴とする請求項９記載の装置。
【発明の詳細な説明】
【技術分野】
【０００１】
本発明は、真空ポンプ装置がアイドルモードに移行した後に真空ポンプ装置をウォーミングアップする方法および／またはウォーミングアップ装置に関する。
【背景技術】
【０００２】
半導体デバイスの製造に使用されるシステムは、数ある中で一般に、プロセスツールと、ブースタポンプおよびバッキングポンプを備えた真空ポンプ装置と、除害装置（abatement device）を有している。一般に、プロセスツールはプロセスチャンバを有し、該プロセスチャンバ内では、半導体ウェーハが所定構造に加工される。真空ポンプ装置はプロセスツールに連結され、種々の半導体加工技術を遂行できるように、プロセスチャンバを真空引きしてプロセスチャンバ内に真空環境を創出する。真空ポンプ装置によりプロセスチャンバから真空引きされたガスは、大気環境に放出される前に、ガス流の有害成分または毒性成分を破壊しまたは分解する除害装置に導かれなくてはならない。
【０００３】
半導体の製造工程で真空ポンプおよび除害装置により使用される電力、燃料および水等の公共資源（utilities）を管理しかつ低減させることが要望されている。真空ポンプおよび除害装置により消費される動力は、半導体ウェーハの製造におけるシステム全体により消費される全動力の大きな割合を占める。半導体ウェーハの製造コストを低減させるため、半導体工業では、真空ポンプの公共資源の消費効率を改善する多くの努力がなされている。半導体製造業者には、しばしば、新しい環境規制により、コスト節約に加え製造工程のエネルギ効率を改善するように圧力が加えられている。
【０００４】
効率を改善する１つの従来方法は、真空ポンプ装置および除害装置がこれらの通常能力で作動することをプロセスツールが必要としない場合には、真空ポンプ装置および除害装置をアイドルモードにすることである。本明細書での用語「アイドルモード」は、種々の産業でしばしば習慣的に使用される他の用語、例えばスリーブモード、グリーンモード、休眠モード、省／低パワーモードおよびアクティブユーティリティ制御モード等と互換的に使用される。例えば半導体ウェーハがプロセスチャンバ内に搬送される場合またはプロセスチャンバから取出される場合には、真空ポンプ装置および除害装置は、これらが通常作動モードで作動するよりも少ない資源を消費するアイドルモードにしなければならない。真空ポンプ装置および除害装置が通常能力で作動することをプロセスツールが必要とする場合には、真空ポンプ装置および除害装置はアイドルモードから通常作動モードに戻ることができる。
【０００５】
従来方法の１つの欠点は、通常、真空ポンプ装置および除害装置をアイドルモードから通常作動モードに戻すのに長時間を要することである。真空ポンプ装置がアイドルモードにあるとき、真空ポンプ装置は低温に冷えてしまう。したがって、真空ポンプ装置は、通常条件で作動される前に、或る温度にウォーミングアップされる必要がある。ウォーミングアップ時間が長いほど、プロセスツールが、真空ポンプ装置の準備が整うまで待機してアイドル状態に留まる時間が長くなる。このため、生産性が損なわれ、生産量が低下する。
【発明の概要】
【発明が解決しようとする課題】
【０００６】
したがって、真空ポンプ装置をアイドルモードから迅速にウォーミングアップして、加工システムをアイドルモードから通常作動モードに移行させるのに要する時間を短縮する方法が要望されている。
【課題を解決するための手段】
【０００７】
本発明は、真空ポンプ装置がアイドルモードに移行した後に、真空ポンプ装置をウォーミングアップする方法および装置に関する。本発明の或る実施形態では、ブースタポンプと、プロセスチャンバを真空引きするための、ブースタポンプの下流側のバッキングポンプとを有する真空ポンプ装置をウォーミングアップする方法は、ブースタポンプがアイドルモードにあるときのブースタポンプのアイドル速度より速い第１速度にブースタポンプを設定する工程と、真空ポンプ装置がアイドルモードから付勢されるときから、ブースタポンプが第１所定閾値に等しいかまたはこれを超える温度に到達するときまでの少なくとも一定時間、ブースタポンプの出口でのバッキング圧力を０．１ミリバールから１０ミリバールの範囲内に制御する工程とを有している。
【０００８】
本発明の或る実施形態では、装置は、プロセスチャンバと、該プロセスチャンバの出口に流体的に連結された入口を備えたブースタポンプと、該ブースタポンプの出口に流体的に連結された入口を備えたバッキングポンプであって、ブースタポンプと協働してプロセスチャンバの真空引きを行うバッキングポンプと、ブースタポンプおよびバッキングポンプに電気的に接続されたコントローラとを有し、該コントローラは、ブースタポンプおよびバッキングポンプがアイドルモードから付勢されるときから、ブースタポンプが第１所定閾値に等しいかまたはこれを超える温度に到達するときまでの少なくとも一定時間、ブースタポンプの出口でのバッキング圧力を０．１ミリバールから１０ミリバールの範囲内に制御するように構成されている。
【０００９】
本発明の構造および作動方法は、添付図面に関連して特定実施形態についての以下の説明を読むことにより、本発明の付加目的および長所とともに最も良く理解されよう。
【図面の簡単な説明】
【００１０】
【図１】本発明の或る実施形態にしたがって、数ある中でプロセスチャンバ、ブースタポンプおよびバッキングポンプが直列に連結されているシステムを示す概略図である。
【図２Ａ】本発明の或る実施形態にしたがって真空ポンプ装置をウォーミングアップする一方法を示すフローチャートである。
【図２Ｂ】本発明の或る実施形態にしたがって真空ポンプ装置をウォーミングアップする一方法を示すフローチャートである。
【図３】本発明の或る実施形態にしたがって真空ポンプ装置をウォーミングアップする一方法を示すフローチャートである。
【図４】本発明の方法および／または装置が、真空ポンプ装置をウォーミングアップするのに要する時間を短縮することを示すグラフである。
【発明を実施するための形態】
【００１１】
本発明は、真空ポンプ装置がアイドルモードに移行した後に、真空ポンプ装置をウォーミングアップする方法および／または装置に関する。簡単化した構成の真空ポンプ装置は、ブースタポンプと、この下流側のバッキングポンプとを有している。ブースタポンプの入口はプロセスチャンバの出口に連結されている。プロセスチャンバは、半導体プロセスツールの一部、または適正に機能すべく内部真空環境を必要とする他の設備で構成できる。ブースタポンプの出口はバッキングポンプの入口に連結されており、バッキングポンプの出口は一般に除害装置と流体連通するか、或る場合には大気環境と直接連通する。真空ポンプ装置がウォーミングアップされると、ブースタポンプの速度が上昇され、かつブースタポンプがアイドルモードにあったときのブースタポンプのアイドル速度より高いレベルに維持される。通常作動モードまたは或る場合には従来の方法で用いられるアイドルモードで、ブースタポンプのバッキング圧力（ブースタポンプの出口圧力）も上昇され、バッキング圧力と比べて比較的高い圧力に維持される。この結果、ウォーミングアップ期間中にブースタポンプを通るガスを圧縮するのに要する動力は増大され、したがってブースタポンプの温度はより急速に上昇されてしまう。一般にブースタポンプは、完全にウォーミングアップするのにバッキングポンプより長時間を要するので、本発明の方法および／または装置は、真空ポンプ装置全体をアイドルモードからウォーミングアップするのに要する時間を短縮できる。これにより、プロセスツールの生産量が増大される。
【００１２】
図１はシステム１０の概略図であり、数ある中で、プロセスチャンバ１２および真空ポンプ装置２０は、本発明の或る実施形態にしたがって直列に連結されている。真空ポンプ装置２０は、プロセスチャンバ１２からガスを吸引してプロセスチャンバ１２内に真空環境を創出し、蒸着、エッチング、イオン注入、エピタキシー等の或る加工を行う。ガスは、図１に参照番号１４ａ、１４ｂで示す１つ以上のガス源からプロセスチャンバ１２内に導入される。ガス源１４ａ、１４ｂは、それぞれ制御弁１６ａ、１６ｂを介してプロセスチャンバ１２に連結されている。プロセスチャンバ１２内に種々のガスを導入するタイミングは、制御弁１６ａ、１６ｂを選択的に回転してオンまたはオフすることにより制御できる。ガス源１４ａ、１４ｂからプロセスチャンバ１２内に導入されるガスの流量は、制御弁１２ａ、１２ｂの流体コンダクタンスを調節することにより制御できる。
【００１３】
真空ポンプ装置２０は、直列に連結されたブースタポンプ２２およびバッキングポンプ２４を有している。ブースタポンプ２２の入口はプロセスチャンバ１２の出口に連結されており、ブースタポンプ２２の出口はバッキングポンプ２４の入口に連結されている。バッキングポンプ２４の出口は除害装置（図示せず）に連結され、該除害装置では、バッキングポンプ２４から排出された排ガスが環境に与える有害な作用を低減させるべく、排ガスが処理される。真空ポンプ装置２０には、ブースタポンプ２２およびバッキングポンプ２４の温度、動力消費、ポンプ速度等の種々の測定データを収集するセンサ（図示せず）を設けることができる。また、ガス圧力を測定するセンサを、ブースタポンプ２２および／またはバッキングポンプ２４の入口および／または出口に設けることができる。コントローラ３０は、センサにより収集されたデータに応答してブースタポンプ２２およびバッキングポンプ２４の種々のパラメータを制御するように構成されている。例えば、コントローラ３０は、プロセスチャンバ１２内で行うべき即時プロセスが全く予期されていないことを表示する信号を受けたとき、ブースタポンプ２２およびバッキングポンプ２４を、低公共資源消費状態（例えばアイドルモード）に移行させることができる。このような信号は、プロセスチャンバ１２または該プロセスチャンバ１２に組込まれたプロセスツールにより直接コントローラ３０に伝送される。或いは、信号は、半導体製造工場の中央制御ユニットによりコントローラ３０に伝送される。
【００１４】
ウェイクアップ信号を受けると、コントローラ３０は、真空ポンプ装置２０への電力供給を増大させかつブースタポンプ２２およびバッキングポンプ２４の速度をそれぞれのアイドル速度からより高いレベルに上昇させる。コントローラ３０は、真空ポンプ装置２０がアイドルモードから、ブースタポンプ２２が所定の閾値に等しいかこれを超える温度に到達するときまで付勢されると、ブースタポンプ２２の出口のバッキング圧力を制御し、上昇させかつ少なくとも一定時間０．１ミリバールから１０ミリバールの範囲内に維持する。これは、ブースタポンプ２２を通常状態で作動させるのに必要である。本明細書で開示する圧力範囲は、従来の一般的なウォーミングアップ工程におけるブースタポンプのバッキング圧力より高い。
【００１５】
ブースタポンプ２２の圧縮動力（Ｗ）は、数学的に、その排出体積（Ｖ）と、この排出体積を横切る圧力差（ｄＰ）との積に等しい。ブースタポンプ２２の排出体積が一定であると仮定すると、バッキング圧力を上昇させることによる圧力差の上昇は、ブースタポンプ２２を通るガスを圧縮するのに、より大きい動力が必要になり、この結果、より多量の熱を発生する。これによりブースタポンプ２２の温度は、ブースタポンプ２２がアイドルモードにあるときの温度から、通常のポンプ作動に適した所定閾値まで非常に急速に到達される。
【００１６】
本発明の或る実施形態では、ブースタポンプ２２のバッキング圧力は、バッキングポンプ２４の速度を調節することにより制御される。バッキングポンプ２４の速度が低いほど、ブースタポンプ２２のバッキング圧力は高くなる。図２Ａには、ブースタポンプ２２のバッキング圧力を制御する例示工程が示されている。この工程はステップ２００からスタートする。ステップ２０２では、真空ポンプ装置２０をアイドルモードから目覚めさせる信号（ウェイクアップ信号）を真空ポンプ装置２０が受けたか否かが判定される。真空ポンプ装置２０がこのような信号を受けていないと判定された場合には、真空ポンプ装置２０はアイドルモードに留められる。真空ポンプ装置２０がこのような信号を受けていると判定された場合には、ステップ２０４に進み、ブースタポンプ２２の速度がそのアイドル速度より高い第１速度に設定される。ステップ２０６では、バッキングポンプ２４の速度がアイドル速度より高い第２速度に設定される。図２Ａでは、ステップ２０４および２０６は２つの別々の作動として示されているが、本発明の或る実施形態では、ブースタポンプ２２およびバッキングポンプ２４の速度は同時に設定できることに留意されたい。
【００１７】
ステップ２０８では、ブースタポンプ２２のバッキング圧力が０．１ミリバ−ルから１０ミリバールの所定範囲内にあるか否かが判定される。バッキング圧力が所定範囲内にない場合にはステップ２１０に進み、バッキングポンプ２４の速度を低下させ、ブースタポンプ２２のバッキング圧力を迅速に所定圧力内に降下させる。本発明の或る実施形態では、バッキングポンプ２４の速度を一度低下させ、ブースタポンプ２２のバッキング圧力が所定範囲内に移行するまで行程を待機させる。本発明の他の実施形態では、ブースタポンプ２２のバッキング圧力が所定範囲内に移行するまで、バッキングポンプ２４の速度を多数の時間間隔に亘って増分的に低下させる。本発明の更に別の実施形態では、ステップ２０６で、ブースタポンプ２２のバッキング圧力が急速に上昇するようにバッキングポンプ２４の第２速度を充分に低く設定し、同時にステップ２１０を省略する。これらの全ての実施形態は本発明の範囲内にある。
【００１８】
ブースタポンプ２２のバッキング圧力が所定範囲内にあると判定された場合には、工程はステップ２１２へと進む。ステップ２１２では、ブースタポンプ２２およびバッキングポンプ２４の温度がそれぞれの閾温度に等しいかまたはこれを超えるか否かが判定される。ブースタポンプ２２およびバッキングポンプ２４の温度がそれぞれの閾温度に等しいかまたはこれを超える場合には、真空ポンプ装置２０は、通常作動モードにあるプロセスチャンバ１２を真空引きする準備をするように設定される。それまで真空ポンプ装置２０はウォーミングアップ工程に留まり、温度が適正レベルに上昇するのを待機する。ブースタポンプ２２およびバッキングポンプ２４の所定の閾温度の値は同じであっても、異なっていてもよい。その後、ステップ２１４でこの工程は終了する。
【００１９】
本発明の或る実施形態では、ブースタポンプ２２のバッキング圧力は、バッキング圧力を直接測定することなく、ポンプ速度を調節しかつブースタポンプ２２の温度を閾温度と比較することにより制御される。図２Ｂは、ブースタポンプ２２のバッキング圧力を直接測定することなく制御する例示工程を示すフローチャートである。図２Ｂの工程は図２Ａの工程と同様であるが、ブースタポンプ２２のバッキング圧力を測定しない点で異なっている。ステップ２４８では、ブースタポンプ２２の温度が測定されかつこの閾温度と比較される。測定された温度が閾温度より低い場合には、ステップ２５０でバッキングポンプ２４の速度が増大される。ブースタポンプ２２の測定温度が閾温度に等しくなるかこれを超えるまで、ステップ２４８およびステップ２５０が周期的に反復される。その後、工程はステップ２５２へと進み、バッキングポンプ２４の温度がバッキングポンプ２４の閾値に等しいかまたはこれを超えるか否かが判定される。バッキングポンプ２４の温度がバッキングポンプ２４の閾値に等しいかまたはこれを超える場合には、真空ポンプ装置２０は、通常作動モードにあるプロセスチャンバ１２を真空引きする準備をするように設定される。真空ポンプ装置２０は、これまでウォーミングアップ工程に留まっており、温度が適正レベルに上昇するのを待機する。その後、この工程はステップ２５４で終了する。
【００２０】
本発明の他の或る実施形態では、ブースタポンプ２２のバッキング圧力は、ブースタポンプ２２の出口、またはブースタポンプ２２とバッキングポンプ２４との間の導管の位置でパージガスを注入することにより上昇される。図１に示すように、パージガス源３２および制御弁３４を任意に設けることができる。制御弁３４は、パージガス源３２と、ブースタポンプ２２とバッキングポンプ２４との間の導管との間に配置できる。コントローラ３０は、制御弁３４のコンダクタンスを調節して、パージガス源３２から、ブースタポンプ２２の出口または下流側の近くへのパージガスの流量を制御できるように構成される。これにより、ブースタポンプ２２の出口でのバッキング圧力を変化できる。パージガスとしては、安定していて、真空ポンプ装置２０を通って流れるプロセスガスとは反応しないガスを選択するのが有利である。パージガスの例としては、窒素、ヘリウムおよび他の不活性ガスがある。
【００２１】
図３は、本発明の或る実施形態にしたがって真空ポンプ装置２０をアイドルモードからウォーミングアップする工程を示す。図３に示す工程は図２の工程と同様であるが、図２の工程では、バッキングポンプ２４の速度を調節することによりブースタポンプ２２のバッキング圧力が制御されかつ維持されるが、図３に示す工程ではステップ３００に示すようにブースタポンプ２２のバッキング圧力が、ブースタポンプ２２の出口でパージガスを注入することにより制御されかつ維持される点で異なっている。ステップ３０２では、ブースタポンプ２２のバッキング圧力が所定範囲内にあるか否かが判定される。ブースタポンプ２２のバッキング圧力が所定範囲内にない場合には、コントローラ３０は制御弁３４のコンダクタンスを増大させて、ブースタポンプ２２のバッキング圧力が所定範囲内に移行するまでパージガスの流量を増大させる。図２の工程と同様に、ステップ３００で、パージガスの流量を、多数の時間間隔に亘って増分的にまたは急激に所定レベルまで直ちに調節できる。ブースタポンプ２２のバッキング圧力が所定範囲内にあると判定された場合には、工程はステップ３０４へと進む。
【００２２】
ステップ３０４では、ブースタポンプ２２の温度が所定の閾温度に等しいかまたはこれを超えているかが判定される。ブースタポンプ２２の温度が所定の閾温度に等しいかまたはこれを超えていない場合には、工程は所定の閾温度に等しくなるかまたはこれを超えるまで待機し、次にステップ３０６に進んでパージガスの流れを遮断する。ステップ３０８では、バッキングポンプ２４の温度が所定の閾温度に等しいかこれを超えているかが判定される。バッキングポンプ２４の温度が所定の閾温度に等しいかこれを超えていない場合には、工程は、バッキングポンプ２４の温度が所定の閾温度に等しいかこれを超えるまで待機し、次にステップ３１０で工程を終了する。図２の工程と同様に、ブースタポンプの温度とバッキングポンプの温度とは同じでもよいし、同じでなくてもよい。
【００２３】
図４は、本発明の方法および／または装置が、真空ポンプ装置がアイドルモードに移行された後に真空ポンプ装置をウォーミングアップするのに要する時間を短縮できることを示すグラフである。図面の左側は、従来の方法または装置により真空ポンプ装置をウォーミングアップする時間ラインを示し、図面の右側は、本発明の方法または装置により真空ポンプ装置をウォーミングアップする時間ラインを示す。両時間ラインを比較すると、本発明の方法および装置は、ウォーミングアップ工程でブースタポンプのバッキング圧力が高いことにより、ブースタポンプおよびバッキングポンプを、従来の方法および装置よりも非常に迅速に所望温度にウォーミングアップできることを示している。ウォーミングアップ時間が短いということは、真空ポンプ装置がアイドルモードからウェイクアップ指令を受けた後、プロセスツールを非常に迅速に作動させることができることを意味する。これは、プロセスツールの生産量を向上させることを意味する。
【００２４】
以上、１つ以上の特定例として具現した本発明を示しかつ説明したが、本発明は示された詳細に限定されることを意図するものではない。なぜならば、本発明の精神から逸脱することなく、特許請求の範囲の記載と均等物の範囲内で種々の変更および構造的変化を加えることができるからである。したがって、特許請求の範囲に記載された本発明の範囲と一致する態様で、特許請求の範囲は広く解釈すべきである。
【符号の説明】
【００２５】
１０  システム
１２  システムチャンバ
１４ａ、１４ｂ  ガス源
１６ａ、１６ｂ  制御弁
２０  真空ポンプ装置
２２  ブースタポンプ
２４  バッキングポンプ
３０  コントローラ
３２  パージガス源
３４  制御弁
【図１】
2015516044.tif 000003
【図２Ａ】
2015516044.tif 000004
【図２Ｂ】
2015516044.tif 000005
【図３】
2015516044.tif 000006
【図４】
2015516044.tif 000007
【国際調査報告】
2015516044.tif 000008
2015516044.tif 000009